(57)【要約】【課題】映像から静止画像を取得することを簡単な操作とシステム構成で実現する。【解決手段】携帯電話機１８０は、赤外線送信部により画像要求を番組録画装置１１０に送信する。番組録画装置１１０において、サムネイル作成部１５０は、携帯電話機１８０からの画像要求に応じて、録画再生部１４０による再生中のフレームからサムネイルを作成する。赤外線送信部１６４は、サムネイル作成部１５０が作成したサムネイルを携帯電話機１８０に送信する。携帯電話機１８０は、赤外線受信部によりこのサムネイルを受信し、受信したサムネイルを保存する。【選択図】図１
2009124337.tif 000002
【特許請求の範囲】
【請求項１】
無線受信部と、
映像を再生する再生部と、
該再生部による前記映像の再生中に、前記無線受信部が静止画像を要求する画像要求を受信した際に、前記映像における再生中のフレームから静止画像を作成する静止画作成部と、
該静止画作成部が作成した前記静止画像を送信する無線送信部とを備えることを特徴とする画像処理装置。
【請求項２】
テレビジョン放送の映像を録画して保存する録画部をさらに備え、
前記再生部は、前記録画部により録画した前記映像を再生するものであることを特徴とする請求項１に記載の画像処理装置。
【請求項３】
テレビジョン放送受信機であり、
前記静止画作成部は、前記映像に対してキャプチャ処理を行って前記静止画像を得ることを特徴とする請求項１に記載の画像処理装置。
【請求項４】
リモートコントローラと、
該リモートコントローラからの指示信号を受信するためのリモートコントローラインターフェースとをさらに備え、
前記リモートコントローラインターフェースは、前記無線受信部を兼ねることを特徴とする請求項２または３に記載の画像処理装置。
【請求項５】
前記画像要求に、該画像要求を送信した無線端末の識別情報が含まれており、
前記無線送信部は、前記識別情報を前記静止画像と共に送信することを特徴とする請求項１から４のいずれか１項に記載の画像処理装置。
【請求項６】
前記無線受信部と前記無線送信部は、赤外線により受信または送信を行うことを特徴とする請求項１から５のいずれか１項に記載の画像処理装置。
【請求項７】
静止画像の提供を要求しうる画像要求を出力する画像要求部と、
該画像要求部からの前記画像要求を外部装置に送信する無線送信部と、
前記画像要求に応じて前記外部装置から送信されてきた静止画像を受信する無線受信部と、
該無線受信部が受信した前記静止画像を保存する画像保存部とを備えることを特徴とする無線端末。
【請求項８】
前記無線送信部は、前記無線端末の識別情報を前記画像要求と共に送信し、
前記無線部が前記静止画像と共に受信した識別情報と、前記無線端末の識別情報を比較し、２つの識別情報が一致しないときに、前記静止画像を破棄する制御部をさらに備えることを特徴とする請求項７に記載の無線端末。
【請求項９】
前記無線受信部と前記無線送信部は、赤外線により受信または送信を行うことを特徴とする請求項７または８記載の無線端末。
【請求項１０】
移動通信端末であることを特徴とする請求項７から９のいずれか１項に記載の無線端末。
【請求項１１】
携帯電話機であることを特徴とする請求項１０に記載の無線端末。
【請求項１２】
画像表示部と、
前記無線受信部が受信した前記静止画像を前記画像表示部に表示させるように設定を行う設定部とをさらに備えることを特徴とする請求項７から１１のいずれか１項に記載の無線端末。
【請求項１３】
画像処理装置と無線端末を有する情報処理システムであって、
前記無線端末は、
静止画像の提供を要求しうる画像要求を出力する画像要求部と、
該画像要求部からの前記画像要求を画像処理装置に送信する無線送信部と、
前記画像要求に応じて前記画像処理装置から送信されてきた静止画像を受信する無線受信部と、
該無線受信部が受信した前記静止画像を保存する画像保存部とを備え、
前記画像処理装置は、
無線受信部と、
映像を再生する再生部と、
該再生部による前記映像の再生中に、前記無線受信部が前記画像要求を受信した際に、前記映像における再生中のフレームから静止画像を作成する静止画作成部と、
該静止画作成部が作成した前記静止画像を送信する無線送信部とを備えることを特徴とする情報処理システム。
【発明の詳細な説明】
【技術分野】
【０００１】
本発明は、情報処理技術、具体的には、再生中の映像から静止画像を取得する技術に関する。
【背景技術】
【０００２】
テレビジョン放送などの映像から静止画像を作成して利用することが行われている。
【０００３】
例えば、特許文献１には、テレビジョン放送の映像から静止画像を作成し、携帯電話機で利用する技術が開示されている。図５を参照して、特許文献１に提案された技術を説明する。
【０００４】
図５は、特許文献１の図１である。図５に示す情報処理システムにおいて、放送局１は番組を放送する。メタデータ作成サーバ６は、インターネット５を介して放送局１によるテレビジョン放送の番組を受信し、受信した放送信号に基づいてメタデータを作成してインターネット上のウェブページに公開する。
【０００５】
クレードル２は、携帯電話機３から録画指示があったときに、テレビジョン放送の番組を録画して録画データを格納する。また、携帯電話機３からサムネイル画像の作成指示があったときに、メタデータを公開するウェブページから対象番組に対応するメタデータを取得し、該メタデータに基づき、録画データから１フレームずつを抽出して静止画像となるサムネイル画像を作成する。
【０００６】
その後、クレードル２がサムネイル画像を携帯電話機３に送信すれば、携帯電話機３のユーザは、サムネイル画像を待ち受け画面にするなどの利用ができる。
【特許文献１】特開２００６−２５３９６０公報
【発明の開示】
【発明が解決しようとする課題】
【０００７】
しかし、特許文献１による手法は、サムネイル画像が携帯電話機に到達するまで、携帯電話機３のユーザは、クレードル２に対する録画指示、サムネイル画像の作成指示、サムネイル画像の送信指示などをする必要があり、操作が煩雑である。
【０００８】
また、メタデータ作成サーバ６などを構築する必要があり、システムの構成が膨大になる。
【課題を解決するための手段】
【０００９】
本発明の一つの態様は、画像処理装置である。この画像処理装置は、無線受信部と、映像を再生する再生部と、静止画作成部と、無線送信部を有する。
【００１０】
静止画作成部は、再生部による映像の再生中に、無線受信部が静止画像を要求する画像要求を受信した際に、映像における再生中のフレームから静止画像を作成し、無線送信部は、該静止画作成部が作成した静止画像を送信する。
【００１１】
本発明の別の態様は、無線端末である。この無線端末は、静止画像の提供を要求しうる画像要求を出力する画像要求部と、該画像要求部からの画像要求を外部装置に送信する無線送信部と、該画像要求に応じて外部装置から送信されてきた静止画像を受信する無線受信部と、該無線受信部が受信した静止画像を保存する画像保存部を備える。
【００１２】
本発明のさらなる別の態様は、情報処理システムである。この情報処理システムは、画像処理装置と無線端末を有する。
【００１３】
無線端末は、静止画像の提供を要求しうる画像要求を出力する画像要求部と、該画像要求部からの画像要求を画像処理装置に送信する無線送信部と、該画像要求に応じて画像処理装置から送信されてきた静止画像を受信する無線受信部と、該無線受信部が受信した静止画像を保存する画像保存部とを備える。画像処理装置は、無線受信部と、映像を再生する再生部と、該再生部による映像の再生中に、無線受信部が無線端末から画像要求を受信した際に、映像における再生中のフレームから静止画像を作成する静止画作成部と、該静止画作成部が作成した静止画像を無線端末に送信する無線送信部とを備える。
【００１４】
なお、上記各態様を方法や、コンピュータを上記装置として動作せしめるプログラムに置き換えて表現したものも、本発明の態様としては有効である。
【発明の効果】
【００１５】
本発明にかかる技術によれば、簡単な操作とシステム構成で映像から静止画像を取得することができる。
【発明を実施するための最良の形態】
【００１６】
＜第１の実施の形態＞
図１は、本発明の第１の実施の形態にかかる情報処理システム１００を示す。情報処理システム１００は、番組録画装置１１０と、アンテナ１２０と、再生実行装置１７０と、携帯電話機１８０を有する。情報処理システム１００の各装置の説明に当たり、本発明の技術と関連がある部分について重点的に説明し、当該装置が通常備えており、本発明の技術と特に関連の無い部分については説明および図示を省略する。
【００１７】
番組録画装置１１０は、テレビジョン放送の番組の録画、録画して得た映像データの再生を行うものであり、受信処理部１３０と、録画および再生を行う録画再生部１４０と、録画再生部１４０が録画した映像データを記憶する記憶部１４２と、サムネイル作成部１５０と、サムネイル作成部１５０が作成したサムネイル画像（以下単にサムネイルともいう）を記憶する記憶部１５２と、リモートコントローラからの指示信号を受信するために設けられた赤外線インターフェース（以下ＲＣインターフェースという）１６２と、赤外線送信部１６４を備える。
【００１８】
受信処理部１３０は、チューナ１３２と、信号処理部１３４と、出力部１３６を有する。チューナ１３２は、選局すると共に、アンテナ１２０を介して選局した放送信号を受信して信号処理部１３４に供する。信号処理部１３４は、チューナ１３２からの放送信号を復調して映像信号（音声信号を含む）を得る。出力部１３６は、信号処理部１３４により得られた映像信号を録画再生部１４０に出力する。
【００１９】
録画再生部１４０は、録画に際して、受信処理部１３０からの映像信号に対して録画処理を行って映像データを得る。この映像データは、記憶部１４２に保存される。また、録画再生部１４０は、再生に際しては、記憶部１４２に保存された映像データを読み出して再生実行装置１７０に出力する。
【００２０】
再生実行装置１７０は、ディスプレイなどの表示装置１７２と、スピーカなどの音声出力装置１７４を有し、録画再生部１４０からの映像データに対して画像表示と音声出力を行う。
【００２１】
サムネイル作成部１５０は、録画再生部１４０により映像信号を録画して映像データを得る際に、該映像における代表的なシーンについて静止画像となるサムネイルを作成する。このサムネイルは、映像データと共に記憶部１４２に保存される。昨今の録画装置は、このようなサムネイル作成機能を備えるものが多く、サムネイルを作成して映像データと共に保存することにより、検索の向上性を図る。
【００２２】
本実施の形態において、サムネイル作成部１５０は、ＲＣインターフェース１６２から画像要求を受信したときにもサムネイルを作成する。この場合、サムネイル作成部１５０は、録画再生部１４０による再生中のフレームからサムネイルを作成して記憶部１５２に出力する。
【００２３】
ＲＣインターフェース１６２は、番組録画装置１１０の図示しないリモートコントローラからの指示信号を受信するための赤外線インターフェースであり、本実施の形態においては、携帯電話機１８０からの画像要求を受信するためにも用いられる。ＲＣインターフェース１６２は、携帯電話機１８０から画像要求を受信すると、それをサムネイル作成部１５０に転送すると共に、画像要求に含まれる、携帯電話機１８０の識別情報を赤外線送信部１６４に出力する。
【００２４】
赤外線送信部１６４は、サムネイル作成部１５０により作成され、記憶部１５２に保存されたサムネイルと、ＲＣインターフェース１６２からの識別情報とを送信する。
【００２５】
図２は、携帯電話機１８０を示す。携帯電話機１８０は、赤外線受信部１８２と、画像保存部１８４と、設定部１８６と、赤外線送信部１８８と、制御部１９０と、操作部１９２を有する。
【００２６】
操作部１９２は、ユーザが携帯電話機１８０に対して指示を行うためのものであり、例えば数字ボタンや記号ボタンである。
【００２７】
制御部１９０は、操作部１９２を介してユーザが行った指示に基づいて携帯電話機１８０の他の機能ブロックを制御する。ここで、番組録画装置１１０から静止画像を取得する場合について説明する。
【００２８】
例えば、再生実行装置１７０による再生中の映像を鑑賞しているユーザが、操作部１９２を介して静止画像を要求する指示を携帯電話機１８０にしたとする。この指示は、たとえば所定のボタンの押下によりなされる。
【００２９】
制御部１９０は、この指示を受けると、携帯電話機１８０の識別情報と、画像要求とを赤外線送信部１８８に送信させる。携帯電話機１８０の識別情報は、例えば携帯電話機１８０の機種や、型番、製造番号などの、携帯電話機１８０を識別可能な固有情報である。
【００３０】
赤外線送信部１８８による画像要求と識別情報の送信後、赤外線受信部１８２がサムネイルを受信すると、制御部１９０は、サムネイルと共に受信した識別情報と、携帯電話機１８０の識別情報とを比較し、両方の識別情報が一致する場合、赤外線受信部１８２が受信したサムネイルを画像保存部１８４に保存させる。また、この場合、制御部１９０は、設定部１８６に設定指示を出力する。なお、両方の識別情報が一致しない場合には、制御部１９０は、赤外線受信部１８２が受信したサムネイルを破棄させる。
【００３１】
設定部１８６は、制御部１９０から設定指示を受信すると、赤外線受信部１８２が受信し、画像保存部１８４に保存されたサムネイルを、携帯電話機１８０の表示画面に表示させるように設定する。この設定は、たとえば待ち受け画面としてサムネイルを表示させる設定や、受信画面としてサムネイルを表示させる設定などのいずれかである。
【００３２】
図３は、図１に示す情報処理システム１００における携帯電話機１８０と番組録画装置１１０の処理の流れを示すフローチャートである。図３の左側は、携帯電話機１８０の処理を示し、図３の右側は、番組録画装置１１０の処理を示す。なお、分かりやすいように、図３において、携帯電話機１８０が番組録画装置１１０からサムネイルを取得する処理に関連するもののみを示す。
【００３３】
図３の左側に示すように、携帯電話機１８０において、操作部１９２を介して、静止画像を要求する指示を受けると、制御部１９０は、携帯電話機１８０の識別情報と、画像要求とを赤外線送信部１８８に送信させる（Ｓ１０、Ｓ１２）。送信後、赤外線受信部１８２が、所定の時間Ｔ０以内にサムネイル画像を受信すると（Ｓ１４：Ｙｅｓ、またはＳ１４：Ｎｏ、Ｓ４０：Ｙｅｓ、Ｓ１４：Ｙｅｓ）、制御部１９０は、サムネイル画像と一緒に受信した識別情報と、携帯電話機１８０の識別情報とを比較し、両方の識別情報が一致する場合には、受信したサムネイル画像を画像保存部１８４に格納させる。また、設定部１８６は、制御部１９０からの設定指示に従い、画像保存部１８４に格納されたサムネイル画像を例えば携帯電話機１８０の待ち受け画面表示用画像に設定する（Ｓ２０：Ｙｅｓ、Ｓ３０）。
【００３４】
一方、ステップＳ２０において、サムネイル画像と一緒に受信した識別情報と、携帯電話機１８０の識別情報とが一致しない場合には、制御部１９０は、受信したサムネイル画像を破棄させ、処理をステップＳ１４に戻し、次のサムネイル画像を待つ（Ｓ２０：Ｎｏ、Ｓ２２、Ｓ１４〜）。
【００３５】
画像要求と識別情報の送信後、時間Ｔ０を経過しても、赤外線受信部１８２がサムネイル画像を受信していない場合（Ｓ１４：Ｎｏ、Ｓ４０：Ｎｏ）、制御部１９０は、タイムアウトとして例えば携帯電話機１８０の図示しない表示部にエラーメッセージを表示させ、処理を終了する（Ｓ４４）。
【００３６】
次に番組録画装置１１０における処理を説明する。
図３の右側に示すように、番組録画装置１１０において、録画再生部１４０による映像の再生中に、ＲＣインターフェース１６２が画像要求を受信すると、サムネイル作成部１５０は、再生中のフレームから静止画像となるサムネイルを作成して記憶部１５２に格納する（Ｓ５０、Ｓ５２、Ｓ５４）。そして、赤外線送信部１６４は、記憶部１５２に格納されたサムネイルと、ステップＳ５２においてＲＣインターフェース１６２が画像要求と共に受信した識別情報とを送信する（Ｓ５６）。
【００３７】
このように、本実施の形態の情報処理システム１００によれば、携帯電話機１８０のユーザが、画像要求を指示するボタン操作を一度行うだけで、サムネイル画像を取得して携帯電話機１８０側で利用することができ、簡単である。
また、サーバなどの必要がないため、システムの規模が小さいと共に、構築も簡単である。
【００３８】
さらに、番組録画装置１１０側において、多くの録画装置に元々備えられたサムネイル画像作成機能を利用するので、携帯電話機１８０にサムネイル画像を提供するために、サムネイル画像を作成する手段を新たに追加する必要が無い。
【００３９】
また、携帯電話機１８０からの画像要求を受信する無線受信部として、録画装置に通常備えられるＲＣインターフェースを利用するので、小さな装置規模で本実施の形態における番組録画装置１１０を実現することができる。
【００４０】
また、携帯電話機１８０から番組録画装置１１０に画像要求を送信する際に、携帯電話機１８０の識別情報も送信し、番組録画装置１１０から携帯電話機１８０にサムネイル画像を送信する際に、画像要求と共に受信した識別情報を返送し、携帯電話機１８０は、サムネイルと共に受信した識別情報が自身の識別情報と一致しない場合に、該サムネイルを破棄するようにしている。こうすることによって、他の装置が他の携帯電話機に送信した画像の誤取得を防ぐことができると共に、一台の番組録画装置で複数台の携帯電話機に対応することができる。
＜第２の実施の形態＞
【００４１】
図４は、本発明の第２の実施の形態にかかる情報処理システム２００を示す。情報処理システム２００は、テレビジョン放送受信機２１０と、アンテナ１２０と、携帯電話機１８０を有する。情報処理システム２００は、テレビジョン放送受信機２１０が受信した放送信号の再生中に携帯電話機１８０に提供するものであり、該情報処理システム２００の説明において、図１に示す情報処理システム１００と異なる部分についてのみ説明すると共に、図４においては、図１に示す情報処理システム１００と同様のものについては同じ符号を付与する。
【００４２】
情報処理システム２００において、テレビジョン放送受信機２１０の再生部２４０による受信処理部１３０からの映像信号の再生中にＲＣインターフェース１６２が画像要求を受信すると、この画像要求は、静止画キャプチャ部２５２とサムネイル作成部２５４に転送され、画像要求と共に受信した識別情報は赤外線送信部１６４に転送される。
【００４３】
静止画キャプチャ部２５２は、画像要求を受信すると、再生部２４０による再生中の画面をキャプチャリングして静止画像を得てサムネイル作成部２５４に出力する。
【００４４】
サムネイル作成部２５４は、静止画キャプチャ部２５２からの静止画像に対して画像サイズや解像度の調整などを施してサムネイルを作成して記憶部１５２に出力する。
【００４５】
赤外線送信部１６４は、記憶部１５２に記憶されたサムネイルと、ＲＣインターフェース１６２から転送されてきた識別情報とを送信する。
【００４６】
携帯電話機１８０は、図１に示す情報処理システム１００における携帯電話機１８０と同じものであり、ここで説明を省略する。
【００４７】
本実施の形態の情報処理システム２００は、図１に示す情報処理システム１００と同じ効果を発揮することができる。
【００４８】
以上、実施の形態をもとに本発明にかかる技術を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【００４９】
例えば、上述した実施の形態において、無線端末の例として携帯電話機を用いたが、画像要求および静止画像の受信が可能な無線通信インターフェースを備えたものであれば、本発明の技術を適用することができる。
【００５０】
また、上述した実施の形態において、携帯電話機１８０は、画像要求に応じて送信されてきたサムネイルを待ち受け画面に設定し、ユーザの手間を省くようにしているが、設定まではせずに、サムネイルを保存し、ユーザによる後の利用に供するようにしてもよい。
【図面の簡単な説明】
【００５１】
【図１】本発明の第１の実施の形態にかかる情報処理システムを示す図である。
【図２】図１に示す携帯電話機を示す図である。
【図３】図１に示す情報処理システムにおける処理の流れを示すフローチャートである。
【図４】本発明の第２の実施の形態にかかる情報処理システムを示す図である。
【図５】従来の技術を説明するための図である。
【符号の説明】
【００５２】
１００  情報処理システム  １１０  番組録画装置
１２０  アンテナ  １３０  受信処理部
１３２  チューナ  １３４  信号処理部
１３６  出力部  １４０  録画再生部
１４２  記憶部  １５０  サムネイル作成部
１５２  記憶部  １６２  リモートコントローラインターフェース
１６４  赤外線送信部  １６４  赤外線送信部
１７０  再生実行装置  １７２  表示装置
１７４  音声出力装置  １８０  携帯電話機
１８２  赤外線受信部  １８４  画像保存部
１８６  設定部  １８８  赤外線送信部
１９０  制御部  １９２  操作部
２００  情報処理システム  ２１０  テレビジョン放送受信機
２４０  再生部  ２５２  静止画キャプチャ部
２５４  サムネイル作成部
【図１】
2009124337.tif 000003
【図２】
2009124337.tif 000004
【図３】
2009124337.tif 000005
【図４】
2009124337.tif 000006
【図５】
2009124337.tif 000007